(57)【要約】      （修正有）【課題】着付けが簡単で帯の圧迫感も無く、帯の緩みによる着崩れ等が防止できる着物を提供する。【解決手段】着物の後身頃２の表面帯位置に沿って設けた第１着衣固着手段７，８と、着物の前身頃３の裏面帯位置に沿って設けた第２着衣固着手段９，１０とを重ね合わせ係合させる事であり、着付けも簡単で帯の圧迫感がなく、着崩れ等が防止出来る事で安心して帯が無くても着用できることを特徴とする。【選択図】図２
0003189008.tif 000002
【実用新案登録請求の範囲】
【請求項１】
着物の後身頃の表面帯位置に沿って設けた第１着衣固着手段と、前記着物の前身頃の裏面帯位置に沿って設けた第２着衣固着手段とを重ね合わせ系合させる事を特徴とする着物。
【請求項２】
前記第１着衣固着手段と前記第２着衣固着手段とは、上下縦方向と左右横方向にその大きさを調整できる事を特徴とする請求項１に記載の着物。
【請求項３】
前記着物の後身頃の右腰部に設けた第３着衣固着手段と、前記着物の前身頃の襟部端に設けた第４着衣固着手段とを前記後身頃の右腰部で結合させる事を特徴とする請求項１に記載の着物。
【考案の詳細な説明】
【技術分野】
【０００１】
本考案は帯が無くても着られる着物に関するものである。
【背景技術】
【０００２】
着物は帯を締めて形を保つので着付けが重要である。多くの改善が提案されたが、今尚着付けの難しさ着用中の着崩れの問題が解消されず、着物が敬遠される要因でもある。
【先行技術文献】
【特許文献】
【０００３】
【特許文献１】特開２００６−０１６７４２前記先行技術文献の浴衣は前身頃の襟と後身頃の帯位置に沿って、帯状のマジックテープを交差状に設け、このマジックテープの系合により着崩れを防ぐが、この浴衣は帯使用が前提であり本考案の帯が無くても着られる着物とは発想も目的も異なる。前記先行技術文献の浴衣は帯とマジックテープで形を保つが、この浴衣の前身頃の襟は帯と交差状のマジックテープにより保持されるが，後身頃の襟は帯以外の保持がなく帯が緩めばこの襟が垂れ下がり着崩れする。着崩れの課題を解決したとは言えない。
【考案の概要】
【考案が解決しようとする課題】
【０００４】
旅館・ホテル等で貸与される浴衣は、滞在中着崩れを直すのに帯を締め直す事は良くある。着物は帯で形を保つので帯の締め位置、締め加減が重要でありこの着付けの難しさ、帯の圧迫感、帯の緩みによる着崩れ等が着物の課題である。
【課題を解決するための手段】
【０００５】
着物の後身頃の表面帯位置に沿って設けた第１着衣固着手段と、着物の前身頃の裏面帯位置に沿って設けた第２着衣固着手段とを重ね合わせ系合させる。
【考案の効果】
【０００６】
本考案によれば着付けが簡単で帯の圧迫感も無く、帯の緩みによる着崩れ等が防止できる。
【図面の簡単な説明】
【０００７】
【図１】着物前面全景を示す正面図である。
【図２】着物前面前身頃の開状態を示す正面図である。
【図３】着衣固着手段にマジックテープの実施例を示す平面図である。
【図４】着衣固着手段にボタンの実施例を示す平面図である。
【図５】着衣固着手段にホックの実施例を示す平面図である。
【図６】着衣固着手段に突起の実施例を示す平面図である。
【図７】着衣固着手段に球状突起の実施例を示す平面図である。
【図８】着衣固着手段に突起と網目状突起穴の実施例を示す平面図である。
【図９】着衣固着手段にいが栗状突起の実施例を示す平面図である。
【図１０】着衣固着手段に紐の実施例を示す平面図である。
【図１１】着衣固着手段にボタンと伸縮性輪っか紐の実施例を示す平面図である。
【図１２】着衣固着手段に鍵ホックと伸縮性紐の実施例を示す平面図である。
【図１３】着衣固着手段にボタンと輪っか状飾り紐の実施例を示す平面図である。
【考案を実施するための形態】
【０００８】
以下本考案を図面を用いて実施の形態について説明する。図１は本考案の実施の形態の着物前面全景を示す正面図である。図１において本実施の形態の着物１は前身頃２と後身頃３と、帯位置４と、後身頃２の襟５と前身頃３の襟６と、前後身頃２，３の帯位置４に沿って設けた第１，２着衣固着手段７，８，９，１０と、後身頃２の右腰部１１で結合された第３，４着衣固着手段１３，１４からなる。
図２において本実施の形態の着物は、着物１の後身頃２の表面帯位置４に沿って設けた第１着衣固着手段と前身頃３の裏面帯位置４に沿って設けた、第２着衣固着手段を重ね合わせ系合させる事で帯が無くても、この前後身頃２，３は保持され着崩れの課題を解決すると共に、着付けが簡単容易にでき帯の圧迫感も無く、しかも着付け後の修正も極めて容易にできる。
しかしこの前後身頃２，３を重ね合わせる時、着物１の襟５，６を少し持ち上げて着付けたり、又旅館・ホテル等で貸与される浴衣は、同じサイズでも胴囲の異なる人が利用するので、これらに対応するため前記第１、２着衣固着手段は上下縦方向と左右横方向にその大きさを調整可能にする事で、体重・体形の区別なく対応可能となる。
一方着物の裾等が例えば食卓等の角にかかり、前記第１，２着衣固着手段が外れ思わぬトラブルが起きる事もある。これを防ぐため図２に示すように、着物１の後身頃２の右腰部１１に第３着衣固着手段を、前身頃３の襟部６端１２に第４着衣固着手段を設けこれを右腰部１１で結合すれば着物として帯が無くても安心して着用できる。もちろん帯使用が前提であればこの手段はなくてもよい。
更にファッションとして前記第３，４着衣固着手段を取替容易で装飾的な物にしたり、又帯を締めても外観上従来の着物と何ら変わる事なく、しかもこの帯は着崩れ防止が目的では無いので新感覚で斬新な発想で自由に帯を選び楽しむ事ができる。      
第１，２着衣固着手段に図３に示すマジックテープを、第３，４着衣固着手段に図１０に示す紐を使用した実施例について述べる。図２に示すように着物１の後身頃２の表面帯位置４に沿て設けたメスマジックペープ７，オスマジックテープ８と前身頃３の裏面帯位置４に沿って設けたメスマジックテープ９，オスマジックテープ１０を重ね合わせるとメスマジックテープ７はオスマジックテープ１０と又メスマジックテープ９はオスマジックテープ８と系合する。
前記実施形態００１２で述べた第１，２着衣固着手段の上下縦方向と左右横方向への調整手段として、マジックテープ８，１０は上下縦方向に、マジックテープ７，９は左右横方向に大きさを調整する事で上下、左右方向に裕度を持ってマジックテープを系合させる事ができる。  例えばマジックテープ７，９は幅２．５ｃｍｘ長さ２０ｃｍ、マジックテープ８，１０は幅５ｃｍｘ長さ１０ｃｍとすれば、着付け時の襟の持ち上げや胴囲の異なる人にも対応可能となる。
前記実施形態００１３で述べた第３，４着衣固着手段は、図２に示すように着物１の後身頃２の右腰部１１に紐１３を、前身頃３の襟部６端１２に紐１４を設けこれを右腰部１１で結合させれば、着物として帯が無くても安心して着用できる。
前記実施例００１５で述べた以外の実施例について、着衣固着手段の要点を記し他の記述は省略する。
図４，５の実施例は、ボタン又はオスホックを適切な間隔で連続的に設け、対応するボタン穴又はメスホックを適切な間隔で連続的に設けこの何れかと系合させる。
図６，７，８の実施例は、突起又は球状突起を適切な間隔で連続的に設け、対応する突起穴又は球状突起穴或いは網目状突起穴を適切な間隔で連続的に設けこの何れかと系合させる。
図９の実施例は、いが栗状針突起を連続的に設け対応するいが栗状突起同士を系合させる。
図１１の実施例は、ボタンを適切な間隔で連続的に設け、一方伸縮性の紐等を輪っか状にしてこの輪っかをボタンの何れかと系合させる。
図１２の実施例は、メス鍵ホックを適切な間隔で連続的に設け、一方伸縮性の平紐にオス鍵ホックを設けメス鍵ホックの何れかと系合させる。
図１３の実施例は、飾り紐の一端をボタン穴又は輪っか状にしてこれを１個のボタンに掛けることで、この飾り紐は取替容易な紐となりこの紐２本を似て１組としてこの紐同士を結合させる。
以上説明したように本考案によれば次のような効果が得られる。
【０００９】
・  前後身頃に着衣固着手段を設ける事で、着崩れを根本的に解決すると共に着付けが簡単容易にでき帯の圧迫感も無く、しかも着付け後の修正も極めて容易にできる。
【００１０】
・  右腰部に着衣固着手段を設けることで、帯が無くても安心して着用でき、帯の無い解放感、湯上り後の爽快感も楽しむ事ができる。
【００１１】
・  帯と着崩れの関係を分離したことで帯を新感覚で斬新な発想で自由に選び楽しむ事が出来る。
【００１２】
・  着物の尚一層の普及・振興に資すると共に、特に温泉地等の観光客、中でも外国人観光客にこの着物を使用体験してもらう事で、日本の伝統的着物文化を世界に広める事が期待できる。
【産業上の利用可能性】
【００１３】
・  男性用着物和服浴衣を含む全般
・  旅館・ホテル等で貸与される着物・浴衣
レンタル衣装・貸衣裳
・  女性用着物にあっては、着付けがより複雑であるが着物における着崩れの課題は共通であり、本考案を応用した新和装の開発が期待される。
【符号の説明】
【００１４】
１  着物
２  着物の後身頃
３  着物の前身頃
４  着物の帯位置
５  後身頃２の襟
６  前身頃３の襟
７，８  第１着衣固着手段
９，１０  第２着衣固着手段
１１  後身頃２の右腰部
１２  前身頃３の襟部６の端
１３  第３着衣固着手段
１４  第４着衣固着手段
１５，１６  オスマジックテープとメスマジックテープ
１７，１８  ボタンとボタン穴
１９，２０  オスホックとメスホック
２１，２２  突起と突起穴
２３，２４  球状突起と球状突起穴
２５，２６  突起と網目状突起穴
２７，２８  いが栗状針突起
２９，３０  平紐と丸紐
３１，３２  ボタンと伸縮性輪っか紐
３３，３４，３５  メス鍵ホックとオス鍵ホック付伸縮性紐
３６，３７，３８  ボタンと房付伸縮性輪っか紐
【図１】
0003189008.tif 000003
【図２】
0003189008.tif 000004
【図３】
0003189008.tif 000005
【図４】
0003189008.tif 000006
【図５】
0003189008.tif 000007
【図６】
0003189008.tif 000008
【図７】
0003189008.tif 000009
【図８】
0003189008.tif 000010
【図９】
0003189008.tif 000011
【図１０】
0003189008.tif 000012
【図１１】
0003189008.tif 000013
【図１２】
0003189008.tif 000014
【図１３】
0003189008.tif 000015
【手続補正書】
【提出日】平成25年12月13日(2013.12.13)
【手続補正１】
【補正対象書類名】明細書
【補正対象項目名】全文
【補正方法】変更
【補正の内容】
【考案の詳細な説明】
【技術分野】
【０００１】
本考案は帯が無くても着られる着物に関するものである。
【背景技術】
【０００２】
着物は帯を締めて形を保つので着付けが重要である。多くの改善が提案されたが、今尚着付けの難しさ着用中の着崩れの問題が解消されず、着物が敬遠される要因でもある。
【先行技術文献】
【特許文献】
【０００３】
【特許文献１】特開２００６−０１６７４２前記先行技術文献の浴衣は左前身頃の襟と右前身頃の帯位置に沿って、帯状の面ファスナーを交差状に設け、この面ファスナーの係合により着崩れを防ぐが、この浴衣は帯使用が前提であり本考案の帯が無くても着られる着物とは発想も目的も異なる。前記先行技術文献の浴衣は帯と面ファスナーで形を保つが、この浴衣の左前身頃の襟は帯と交差状の面ファスナーにより保持されるが，右前身頃の襟は帯以外の保持がなく帯が緩めばこの襟が垂れ下がり着崩れする。着崩れの課題を解決したとは言えない。
【考案の概要】
【考案が解決しようとする課題】
【０００４】
旅館・ホテル等で貸与される浴衣は、滞在中着崩れを直すのに帯を締め直す事は良くある。着物は帯で形を保つので帯の締め位置、締め加減が重要でありこの着付けの難しさ、帯の圧迫感、帯の緩みによる着崩れ等が着物の課題である。
【課題を解決するための手段】
【０００５】
着物の右前身頃の表面帯位置に沿って設けた第１着衣固着手段と、着物の左前身頃の裏面帯位置に沿って設けた第２着衣固着手段とを重ね合わせ係合させる。
【考案の効果】
【０００６】
本考案によれば着付けが簡単で帯の圧迫感も無く、帯の緩みによる着崩れ等が防止できる。
【図面の簡単な説明】
【０００７】
【図１】着物前面全景を示す正面図である。
【図２】着物前面左前身頃の開状態を示す正面図である。
【図３】着衣固着手段に面ファスナーの実施例を示す平面図である。
【図４】着衣固着手段にボタンの実施例を示す平面図である。
【図５】着衣固着手段にホックの実施例を示す平面図である。
【図６】着衣固着手段に突起の実施例を示す平面図である。
【図７】着衣固着手段に球状突起の実施例を示す平面図である。
【図８】着衣固着手段に突起と網目状突起穴の実施例を示す平面図である。
【図９】着衣固着手段にいが栗状突起の実施例を示す平面図である。
【図１０】着衣固着手段に紐の実施例を示す平面図である。
【図１１】着衣固着手段にボタンと伸縮性輪っか紐の実施例を示す平面図である。
【図１２】着衣固着手段に鍵ホックと伸縮性紐の実施例を示す平面図である。
【図１３】着衣固着手段にボタンと輪っか状飾り紐の実施例を示す平面図である。
【考案を実施するための形態】
【０００８】
以下本考案を図面を用いて実施の形態について説明する。図１は本考案の実施の形態の着物前面全景を示す正面図である。図１において本実施の形態の着物１は右前身頃２と左前身頃３と、帯位置４と、右前身頃２の襟５と左前身頃３の襟６と、左右前身頃２，３の帯位置４に沿って設けた第１，２着衣固着手段７，８，９，１０と、右前身頃２の右腰部１１で結合された第３，４着衣固着手段１３，１４からなる。
図２において本実施の形態の着物は、着物１の右前身頃２の表面帯位置４に沿って設けた第１着衣固着手段と左前身頃３の裏面帯位置４に沿って設けた、第２着衣固着手段を重ね合わせ係合させる事で帯が無くても、この左右前身頃２，３は保持され着崩れの課題を解決すると共に、着付けが簡単容易にでき帯の圧迫感も無く、しかも着付け後の修正も極めて容易にできる。
しかしこの左右前身頃２，３を重ね合わせる時、着物１の襟５，６を少し持ち上げて着付けたり、又旅館・ホテル等で貸与される浴衣は、同じサイズでも胴囲の異なる人が利用するので、これらに対応するため前記第１、２着衣固着手段は上下縦方向と左右横方向にその大きさを調整可能にする事で、体重・体形の区別なく対応可能となる。
一方着物の裾等が例えば食卓等の角にかかり、前記第１，２着衣固着手段が外れ思わぬトラブルが起きる事もある。これを防ぐため図２に示すように、着物１の右前身頃２の右腰部１１に第３着衣固着手段を、左前身頃３の襟部６端１２に第４着衣固着手段を設けこれを右腰部１１で結合すれば着物として帯が無くても安心して着用できる。もちろん帯使用が前提であればこの手段はなくてもよい。
更にファッションとして前記第３，４着衣固着手段を取替容易で装飾的な物にしたり、又帯を締めても外観上従来の着物と何ら変わる事なく、しかもこの帯は着崩れ防止が目的では無いので新感覚で斬新な発想で自由に帯を選び楽しむ事ができる。          
第１，２着衣固着手段に図３に示す面ファスナーを、第３，４着衣固着手段に図１０に示す紐を使用した実施例について述べる。図２に示すように着物１の右前身頃２の表面帯位置４に沿て設けたメス面ファスナー７，オス面ファスナー８と左前身頃３の裏面帯位置４に沿って設けたメス面ファスナー９，オス面ファスナー１０を重ね合わせるとメス面ファスナー７はオスマ面ファスナー１０と又メス面ファスナー９はオス面ファスナー８と係合する。
前記実施形態００１２で述べた第１，２着衣固着手段の上下縦方向と左右横方向への調整手段として、面ファスナー８，１０は上下縦方向に、面ファスナー７，９は左右横方向に大きさを調整する事で上下、左右方向に裕度を持って面ファスナーを係合させる事ができる。  例えば面ファスナー７，９は幅２．５ｃｍｘ長さ２０ｃｍ、面ファスナー８，１０は幅５ｃｍｘ長さ１０ｃｍとすれば、着付け時の襟の持ち上げや胴囲の異なる人にも対応可能となる。
前記実施形態００１３で述べた第３，４着衣固着手段は、図２に示すように着物１の右前身頃２の右腰部１１に紐１３を、左前身頃３の襟部６端１２に紐１４を設けこれを右腰部１１で結合させれば、着物として帯が無くても安心して着用できる。
前記実施例００１５で述べた以外の実施例について、着衣固着手段の要点を記し他の記述は省略する。
図４，５の実施例は、ボタン又はオスホックを適切な間隔で連続的に設け、対応するボタン穴又はメスホックを適切な間隔で連続的に設けこの何れかと係合させる。
図６，７，８の実施例は、突起又は球状突起を適切な間隔で連続的に設け、対応する突起穴又は球状突起穴或いは網目状突起穴を適切な間隔で連続的に設けこの何れかと係合させる。
図９の実施例は、いが栗状針突起を連続的に設け対応するいが栗状突起同士を係合させる。
図１１の実施例は、ボタンを適切な間隔で連続的に設け、一方伸縮性の紐等を輪っか状にしてこの輪っかをボタンの何れかと係合させる。
図１２の実施例は、メス鍵ホックを適切な間隔で連続的に設け、一方伸縮性の平紐にオス鍵ホックを設けメス鍵ホックの何れかと係合させる。
図１３の実施例は、飾り紐の一端をボタン穴又は輪っか状にしてこれを１個のボタンに掛けることで、この飾り紐は取替容易な紐となりこの紐２本を似て１組としてこの紐同士を結合させる。
以上説明したように本考案によれば次のような効果が得られる。
１．  左右前身頃に着衣固着手段を設ける事で、着崩れを根本的に解決すると共に着付けが簡単容易にでき帯の圧迫感も無く、しかも着付け後の修正も極めて容易にできる。
２．  右腰部に着衣固着手段を設けることで、帯が無くても安心して着用でき、帯の無い解放感、湯上り後の爽快感も楽しむ事ができる。
３．  帯と着崩れの関係を分離したことで帯を新感覚で斬新な発想で自由に選び楽しむ事が出来る。
４．  着物の尚一層の普及・振興に資すると共に、特に温泉地等の観光客、中でも外国人観光客にこの着物を使用体験してもらう事で、日本の伝統的着物文化を世界に広める事が期待できる。
【産業上の利用可能性】
【０００９】
１．  男性用着物和服浴衣を含む全般
２．  旅館・ホテル等で貸与される着物・浴衣
レンタル衣装・貸衣裳
３．  女性用着物にあっては、着付けがより複雑であるが着物における着崩れの課題は共通であり、本考案を応用した新和装の開発が期待される。
【符号の説明】
【００１０】
１  着物
２  着物の右前身頃
３  着物の左前身頃
４  着物の帯位置
５  右前身頃２の襟
６  左前身頃３の襟
７，８  第１着衣固着手段
９，１０  第２着衣固着手段
１１  右前身頃２の右腰部
１２  左前身頃３の襟部６の端
１３  第３着衣固着手段
１４  第４着衣固着手段
１５，１６  オス面ファスナーとメス面ファスナー
１７，１８  ボタンとボタン穴
１９，２０  オスホックとメスホック
２１，２２  突起と突起穴
２３，２４  球状突起と球状突起穴
２５，２６  突起と網目状突起穴
２７，２８  いが栗状針突起
２９，３０  平紐と丸紐
３１，３２  ボタンと伸縮性輪っか紐
３３，３４，３５  メス鍵ホックとオス鍵ホック付伸縮性紐
３６，３７，３８  ボタンと房付伸縮性輪っか紐
【手続補正２】
【補正対象書類名】実用新案登録請求の範囲
【補正対象項目名】全文
【補正方法】変更
【補正の内容】
【実用新案登録請求の範囲】
【請求項１】
着物の右前身頃の表面帯位置に沿って設けた第１着衣固着手段と、前記着物の左前身頃の裏面帯位置に沿って設けた第２着衣固着手段とを重ね合わせ係合させる事を特徴とする着物。
【請求項２】
前記第１着衣固着手段と前記第２着衣固着手段とは、上下縦方向と左右横方向にその大きさを調整できる事を特徴とする請求項１に記載の着物。
【請求項３】
前記着物の右前身頃の右腰部に設けた第３着衣固着手段と、前記着物の左前身頃の襟部端に設けた第４着衣固着手段とを前記右前身頃の右腰部で結合させる事を特徴とする請求項１に記載の着物。